(57)【要約】【課題】電気かみそりを使い終わる毎に、内刃に付着した毛屑や皮脂等を清掃し除去する作業を省略し、実際に電気かみそりの使用中においても常にこれらを除去可能とすることで切れ味を長期に亘って持続させることが可能な電気かみそりを提供する。【解決手段】刃ヘッド部３と、刃ヘッド部３の下方に連結されユーザが把持するためのグリップ部４とを有する電気かみそりにおいて、刃ヘッド部３は、多数の髭導入孔が穿孔された金属薄板が湾曲形状に折り曲げられてなる外刃１１と、カッターブレードを螺旋状に形成させてなるとともに外刃１１の内面に摺接する内刃１２と、少なくとも先端が内刃１２のカッターブレードによる谷部の底に外接するブラシ体１３とを備え、モータにより回転駆動されている内刃１２における少なくとも谷部に付着した毛屑や皮脂等をブラシ体１３により除去する。【選択図】図２
2008073231.tif 000002
【特許請求の範囲】
【請求項１】
刃ヘッド部と、上記刃ヘッド部の下方に連結されユーザが把持するためのグリップ部とを有する電気かみそりにおいて、
上記刃ヘッド部は、
多数の髭導入孔が穿孔された金属薄板が湾曲形状に折り曲げられてなる外刃と、
カッターブレードを螺旋状に形成させてなるとともに上記外刃の内面に摺接する内刃と、
少なくとも先端が上記内刃のカッターブレードによる谷部の底に外接するブラシ体とを備え、
上記グリップ部内には、ユーザによる指定動作に基づいて上記内刃を回転駆動させるモータが実装され、
上記モータにより回転駆動されている内刃における少なくとも谷部に付着した毛屑や皮脂等を上記ブラシ体により除去すること
を特徴とする電気かみそり。
【請求項２】
上記ブラシ体は、着脱自在に構成されていること
を特徴とする請求項１記載の電気かみそり。
【発明の詳細な説明】
【技術分野】
【０００１】
本発明は、内刃に付着した毛屑や皮脂等を除去する際に好適な電気かみそりに関するものである。
【背景技術】
【０００２】
回転式電気かみそりは、多数の髭導入孔が穿孔された金属薄板が湾曲形状に折り曲げられてなる外刃を備え、内刃が有した複数のカッターブレードを外刃の内面にばねにより押付けて構成されている。回転式電気かみそりは、この内刃を本体ケースに内蔵された図示しないモータにより回転させ、カッターブレードを外刃の内面に摺接回転させることにより髭そりをする。
【０００３】
ところで、上述の如き構成からなる回転式電気かみそりにおいて、螺旋状に形成された内刃のカッターブレードにより山部と谷部が形成されることになるが、切断された毛屑や皮脂がカッターブレードに付着し、特にこの谷部においてこれら毛屑や皮脂が蓄積してしまう。特にカッターブレードによる谷部に毛屑や皮脂等が蓄積してしまうと、回転式電気かみそりの切れ味が著しく低下し、衛生面においても悪影響を及ぼすものとなる。
【０００４】
このため、内刃に付着している毛屑や皮脂等を除去可能な電気かみそりが従来において提案されている。
【０００５】
例えば、外刃ホルダーと換装されるキャップの内面に、内刃清掃用のブラシを配置した清掃具も提案されている（例えば、特許文献１、２参照。）。しかしながら、このような特許文献１、２記載の清掃具は、清掃の度に使用を中止しなければならず、また外刃ホルダーとキャップの換装作業を行わなければならず、ユーザに対して過度の負担を強いることにもなっていた。
【特許文献１】特開昭５８−１７４０６８号公報
【特許文献２】実開昭５９−４００７８号公報
【発明の開示】
【発明が解決しようとする課題】
【０００６】
そこで本発明は、上述した課題に鑑みて案出されたものであり、その目的とするところは、電気かみそりを使い終わる毎に、内刃に付着した毛屑や皮脂等を自動的に清掃し除去する作業を省略し、実際に電気かみそりの使用中においても常にこれらを除去可能とすることで切れ味を長期に亘って持続させることが可能な電気かみそりを提供することにある。
【課題を解決するための手段】
【０００７】
本発明に係る電気かみそりは、上述した課題を解決するために、刃ヘッド部と、上記刃ヘッド部の下方に連結されユーザが把持するためのグリップ部とを有する電気かみそりにおいて、上記刃ヘッド部は、多数の髭導入孔が穿孔された金属薄板が湾曲形状に折り曲げられてなる外刃と、カッターブレードを螺旋状に形成させてなるとともに上記外刃の内面に摺接する内刃と、少なくとも先端が上記内刃のカッターブレードによる谷部の底に外接するブラシ体とを備え、上記グリップ部内には、ユーザによる指定動作に基づいて上記内刃を回転駆動させるモータが実装され、上記モータにより回転駆動されている内刃における少なくとも谷部に付着した毛屑や皮脂等を上記ブラシ体により除去することを特徴とする。
【発明の効果】
【０００８】
本発明を適用した電気かみそりでは、実際の使用中においても常に毛屑や皮脂等を除去することができ、特にカッターブレードの谷部においてこれら毛屑や皮脂が蓄積してしまうのを防止することができる。このため、本発明を適用した電気かみそりでは、切れ味を常時向上させることができ、衛生面においても優れた構成とすることができる。また、本発明では、電気かみそりの使用とともに内刃の清掃も同時に行うことができることから、清掃の度に使用を中止することもなくなり、さらには清掃に伴うユーザの作業負担を軽減させることができる点においても有用である。
【発明を実施するための最良の形態】
【０００９】
以下、本発明を実施するための最良の形態として、内刃に付着した毛屑や皮脂等を実際の使用中においても除去する電気かみそりについて、図面を参照しながら詳細に説明する。
【００１０】
本発明を適用した電気かみそり１は、例えば図１に示すように、刃ヘッド部３と、刃ヘッド部３の下方に連結されユーザが把持するためのグリップ部４とを有する。グリップ部４には、ユーザが電気かみそり１を操作するためのスイッチボタン２が少なくとも形成されている。ちなみに、このグリップ部４内には図示しないモータが実装されており、スイッチボタン２の押圧入力に基づいてモータは自転することになる。
【００１１】
図２は、刃ヘッド部３の分解斜視図である。刃ヘッド部３は、大別して外刃１１と、内刃１２と、ブラシ体１３とを備えている。ちなみに、図３は、刃ヘッド部３の断面構成図を示している。
【００１２】
外刃１１は、外刃ホルダー２１に実装される。この外刃１１は、多数の髭導入孔が穿孔された金属薄板が湾曲形状に折り曲げられて構成されている。
【００１３】
内刃１２は、カッターブレードを螺旋状に形成させてなる。即ち、この内刃１２は、この螺旋状に形成されたカッターブレードにより山部と谷部とが構成されることになる。また内刃１２は、内刃ホルダー２２において回転自在となるように２本配設される。内刃１２は、図３に示すように外刃１１の内面に摺接するように固定される。内刃１２は、上記図示しないモータにより回転駆動させられることになる。
【００１４】
ブラシ体１３は、ブラシホルダー２３に固着されている。このブラシホルダー２３は、２本に亘る内刃１２それぞれに対してブラシ体１３を外接可能なように２列に亘りブラシ体１３を固着している。このブラシホルダー２３は、この内刃ホルダー２２内に対して着脱自在となるような機構を設けるようにしてもよい。即ち、ブラシ体１３について着脱可能とすることにより、これのみを取り外して洗浄することが可能となる。
【００１５】
図４は、このブラシホルダー２３を内刃ホルダー２２に装着させた状態における側面図を示している。このブラシホルダー２３におけるブラシ体１３の先端は、少なくとも内刃１２におけるカッターブレードによる谷部の底に外接するように固定されることになる。
【００１６】
次に、本発明を適用した電気かみそり１の動作について説明をする。
【００１７】
先ず、ユーザによりスイッチボタン２が押圧入力されると、これに基づいて図示しないモータが自転し、内刃１２が回転駆動することになる。ユーザは、外刃１１の外面に顎や頬を押し当てることにより、外刃の髭導入孔に髭を導入させることができ、これらは回転駆動されている内刃１２と外刃１１により剃られることになる。
【００１８】
また内刃１２は、回転駆動している最中においてもブラシ体１３が常時外接している状態にあるため、少なくともカッターブレードの谷部に付着した毛屑や皮脂等をかかるブラシ体１３により除去することが可能となる。
【００１９】
図５は、本発明の作用効果について説明するための図である。内刃１２に対してブラシ体１３を常時外接させていない場合には、図５(a)に示すように、顎４１に外刃１１を押し当てて髭導入孔に髭を導入させると、内刃１２の谷部において毛屑４２等が蓄積し、切れ味が悪化してしまう。これに対して、本発明の如く内刃１２に対してブラシ体１３を常時外接させた場合には、図５(b)に示すように、顎４１に外刃１１を押し当てて髭導入孔に髭を導入させても、内刃１２の谷部において毛屑４２等が蓄積することがなくなり、切れ味が悪化してしまうこともなくなる。
【００２０】
即ち、本発明を適用した電気かみそり１では、実際の使用中においても常に毛屑や皮脂等を除去することができ、特にカッターブレードの谷部においてこれら毛屑や皮脂が蓄積してしまうのを防止することができる。このため、電気かみそり１では、切れ味を常時向上させることができ、衛生面においても優れた構成とすることができる。また、本発明では、電気かみそり１の使用とともに内刃１２の清掃も同時に行うことができることから、清掃の度に使用を中止することもなくなり、さらには清掃に伴うユーザの作業負担を軽減させることができる点においても有用である。
【図面の簡単な説明】
【００２１】
【図１】本発明を適用した電気かみそりの全体構成図である。
【図２】刃ヘッド部の分解斜視図である。
【図３】刃ヘッド部の断面構成図である。
【図４】ブラシホルダーを内刃ホルダーに装着させた状態における側面図である。
【図５】本発明の作用効果について説明するための図である。
【符号の説明】
【００２２】
１  電気かみそり
２  スイッチボタン
３  刃ヘッド部
４  グリップ部
１１  外刃
１２  内刃
１３  ブラシ体
２１  外刃ホルダー
２２  内刃ホルダー
２３  ブラシホルダー
【図１】
2008073231.tif 000003
【図２】
2008073231.tif 000004
【図３】
2008073231.tif 000005
【図４】
2008073231.tif 000006
【図５】
2008073231.tif 000007